(57)【特許請求の範囲】
【請求項１】
枠体内に内外障子を納め、該内外障子の召合わせ部に内蔵錠が設けられるサッシにおいて、
前記内蔵錠は、前記内障子側に設けられ施錠操作により室外側に突出自在に回動する鎌部と、前記外障子側に設けられ室外側に突出した前記鎌部が係合自在な受け部とを有し、
前記受け部は前記内外障子の開閉方向に沿って複数の段部を有する階段状部を有し、前記鎌部は前記階段状部に対して係合する係合部を有し、
前記階段状部を構成する各段部は、前記鎌部が施錠操作で回動するのに伴い前記係合部の側面が摺接する係合面部を有し、各係合面部は、第一平面部と第二平面部とが傾斜面部を介して段差状をなし、前記傾斜面部は前記第一平面部側から前記第二平面部側にかけて、前記外障子の内周側から外周側に向かう傾斜状となるように形成され、前記鎌部が施錠操作で回動するのに伴い、前記係合部の側面は、前記第一平面部から前記傾斜面部を経て前記第二平面部に移動し、前記鎌部が前記外障子の外周側に押圧されることを特徴とするサッシ。
【請求項２】
前記受け部は室内外方向に回動自在となるように前記外障子に支持されると共に、室内側に向かって付勢され、前記傾斜面部を有する係合面部は室内外方向と直交する方向に面することを特徴とする請求項１記載のサッシ。
【請求項３】
前記係合面部は前記外障子の外周側に向かって面し、前記傾斜面部は前記鎌部が施錠操作で回動した際の摺接方向に沿って、前記外障子の内周側から外周側に向かう傾斜状に形成されることを特徴とする請求項１または２記載のサッシ。
【発明の詳細な説明】
【技術分野】
【０００１】
本発明は、枠体内に内外障子を納めてなり、内外障子の召合わせ框間で施錠をなす内蔵錠を備えたサッシに関し、特に内蔵錠の施錠によって内外障子の引き分けをなすことのできるサッシに関する。
【背景技術】
【０００２】
サッシのうち、枠体内に内外障子を引き違い状に納めてなる引き違いサッシでは、内外障子の召合わせ框間で施錠をなすことのできる内蔵錠を設けることがある。内蔵錠は、内障子側に設けられ施錠操作に伴い室外側に突出自在な鎌部と、外障子側に設けられ鎌部を係合自在な受け部とからなっている。
【０００３】
サッシには、枠体や障子の寸法誤差や変形などによって、内外障子の召合わせ部分における障子の開閉方向のずれが生じることがあり、このずれに伴って内蔵錠の鎌部が受け部に対してうまく係合できない可能性がある。
【０００４】
この問題を解消するため、例えば特許文献１では、受け部に障子の開閉方向に向かう階段状部を形成し、鎌部には階段状部に係合自在な係合部を形成し、受け部を鎌部と対向する方向に向かって付勢する構成を採用している。この構成によれば、召合わせ部分にずれが生じていても、鎌部を受け部に対して確実に係合させることができる。
【先行技術文献】
【特許文献】
【０００５】
【特許文献１】特許第３５３２１３５号公報
【発明の概要】
【発明が解決しようとする課題】
【０００６】
特許文献１に記載されているサッシでは、複数段の階段状部が形成されており、枠体や障子のずれに応じて係合する段が変化し、それによってずれによる係合箇所の違いを吸収している。しかし、例えばずれがほとんどないにもかかわらず、何かのはずみで階段状部のうち所定の段と異なる段に鎌部が係合した場合、鎌部の係合位置が障子の開閉方向に異なることとなるため、障子と枠体の間に隙間を生じたまま施錠される可能性がある。
【０００７】
これを防止するためには、鎌部が受け部に係合するのに伴って内外障子がそれぞれ閉じる方向に押圧される、すなわち引き分けをなす必要があるが、従来のサッシに設けられる内蔵錠では、かかる引き分けを行うことができなかった。
【０００８】
本発明は前記課題を鑑みてなされたものであり、内蔵錠の施錠に伴い内外障子の引き分けをなすことのできるサッシを提供することを目的とする。
【課題を解決するための手段】
【０００９】
前記課題を解決するため、本発明に係るサッシは、枠体内に内外障子を納め、該内外障子の召合わせ部に内蔵錠が設けられるサッシにおいて、
前記内蔵錠は、前記内障子側に設けられ施錠操作により室外側に突出自在に回動する鎌部と、前記外障子側に設けられ室外側に突出した前記鎌部が係合自在な受け部とを有し、
前記受け部は前記内外障子の開閉方向に沿って複数の段部を有する階段状部を有し、前記鎌部は前記階段状部に対して係合する係合部を有し、
前記階段状部を構成する各段部は、前記鎌部が施錠操作で回動するのに伴い前記係合部の側面が摺接する係合面部を有し、各係合面部は、第一平面部と第二平面部とが傾斜面部を介して段差状をなし、前記傾斜面部は前記第一平面部側から前記第二平面部側にかけて、前記外障子の内周側から外周側に向かう傾斜状となるように形成され、前記鎌部が施錠操作で回動するのに伴い、前記係合部の側面は、前記第一平面部から前記傾斜面部を経て前記第二平面部に移動し、前記鎌部が前記外障子の外周側に押圧されることを特徴として構成されている。
【００１０】
また、本発明に係るサッシは、前記受け部は室内外方向に回動自在となるように前記外障子に支持されると共に、室内側に向かって付勢され、前記傾斜面部を有する係合面部は室内外方向と直交する方向に面することを特徴として構成されている。
【００１１】
さらに、本発明に係るサッシは、前記係合面部は前記外障子の外周側に向かって面し、前記傾斜面部は前記鎌部が施錠操作で回動した際の摺接方向に沿って、前記外障子の内周側から外周側に向かう傾斜状に形成されることを特徴として構成されている。
【発明の効果】
【００１２】
本発明に係るサッシによれば、受け部の階段状部を構成する各段部は、鎌部が施錠操作で回動するのに伴い係合部の側面が摺接する係合面部を有し、各係合面部は傾斜面部を介して段差状をなし、傾斜面部は鎌部が施錠操作で回動した際の摺接方向に沿って、鎌部を外障子の外周側に押圧する方向に傾斜してなることにより、鎌部を受け部に係合させて施錠するのに伴い、内障子と外障子を引き分けることができ、これらの間に隙間を生じさせないようにすることができる。
【００１３】
また、本発明に係るサッシによれば、受け部は室内外方向に回動自在となるように外障子に支持されると共に、室内側に向かって付勢され、傾斜面部を有する係合面部は室内外方向と直交する方向に面することにより、付勢力により受け部と鎌部をがたつきなく確実に係合させると共に、傾斜面部による鎌部の押圧を確実になすことができる。
【００１４】
さらに、本発明に係るサッシによれば、係合面部は外障子の外周側に向かって面し、傾斜面部は鎌部が施錠操作で回動した際の摺接方向に沿って、外障子の内周側から外周側に向かう傾斜状に形成されることにより、簡易な構造で内外障子をそれぞれ閉じる方向に引き分けることができる。
【図面の簡単な説明】
【００１５】
【図１】サッシの縦断面図である。
【図２】サッシの横断面図である。
【図３】内蔵錠を構成する内障子構成部の正面図である。
【図４】図３のＡ−Ａ断面図である。
【図５】外障子構成部に設けられる受け部の斜視図である。
【図６】内蔵錠を構成する鎌収納部内及び外障子構成部の断面図である。
【図７】鎌部を受け部に係合させた状態における鎌収納部内及び外障子構成部の断面図である。
【図８】鎌部と受け部の関係を表した横断面図である。
【発明を実施するための形態】
【００１６】
本発明の実施形態について図面に沿って詳細に説明する。図１には本実施形態におけるサッシの縦断面図を、図２にはサッシの横断面図を、それぞれ示している。これら各図に示すように、本実施形態のサッシは、建物開口部の額縁７内周面に設けられる枠体１内に内障子２と外障子３を引き違い状に納めてあり、内障子２と外障子３の召合わせ部分には内蔵錠６が設けられてなるものである。額縁７の室外側には、図示しない外窓が設置してあり、本実施形態のサッシは、外窓の室内側に設けられる内窓として構成されている。
【００１７】
枠体１は、上枠１０と下枠１１及び左右の縦枠１２、１２を方形状に枠組みしてなり、各枠材はそれぞれ樹脂材によって構成されている。上枠１０には、内周面の室内外に凹状の内案内部１０ａと外案内部１０ｂが形成されており、それぞれ内障子２と外障子３の上辺を上枠１０の長手方向に沿って案内する。下枠１１には、内周面に金属製のレール部材１１ａが設けられており、レール部材１１ａには内障子２を案内する内レール１１ｂと、外障子３を案内する外レール１１ｃとが形成されている。
【００１８】
内障子２と外障子３は、それぞれ方形状の框体４内に複層ガラス板からなるパネル体５を納めてなり、枠体１の上枠１０及び下枠１１の長手方向に沿ってそれぞれ走行自在とされている。内障子２の框体４は、上框２０と下框２１、枠側縦框２２及び内召合わせ框２３を方形状に框組みしてなり、外障子３の框体４は、上框２０と下框２１、枠側縦框２２及び外召合わせ框２４を方形状に框組みして構成される。
【００１９】
内蔵錠６は、内障子２の内召合わせ框２３と外障子３の外召合わせ框２４に渡って設けられる。内召合わせ框２３には内蔵錠６を構成する内障子構成部３０が、外召合わせ框２４には内蔵錠６を構成する外障子構成部４０が、それぞれ設けられる。
【００２０】
図２に示すように、内障子構成部３０は、内召合わせ框２３の側壁２３ａから露出する操作部３２と、内召合わせ框２３の中空内部に納められ室外側に向かって突出自在な鎌部３４とを有している。図２では、鎌部３４は室外側に突出した状態を表している。外障子構成部４０は、外召合わせ框２４の中空内部に納められ鎌部３４を係合自在とした受け部４２を有している。
【００２１】
図３には、内蔵錠６を構成する内障子構成部３０の正面図を示している。この図に示すように、内蔵錠６の内障子構成部３０は、操作部３２及び鎌部３４の他、内召合わせ框２３の側壁２３ａに固定される基部３１と、基部３１に対して上下方向にスライド自在なスライド片３５と、操作部３２の操作に連動しスライド片３５と共にスライド自在な連係部３７と、鎌部３４を回動自在に収納する鎌収納部３３とを有している。
【００２２】
なお、図３は、鎌部３４を室外側に突出させた状態を表している。破線で示している操作部３２のうち端部が上方を向いている状態のとき、鎌部３４は鎌収納部３３に納まった状態となり、もう一つの破線で示している操作部３２の状態のとき、鎌部３４を突出させる動作の途中の状態となる。
【００２３】
連係部３７は、操作部３２のうち内召合わせ框２３の内部側端部と連係された押圧部３７ａと、押圧部３７ａを室内側に付勢するばね３７ｂとを有して構成されている。操作部３２は、内召合わせ框２３の内部側端部より中央寄りの位置で、基部３１に対して回動自在に支持されている。このため、操作部３２を回動させると、内召合わせ框２３の内部側端部は、内召合わせ框２３の内部側に向かって侵入しつつスイングするように移動する。これに伴い、操作部３２の内召合わせ框２３の内部側端部は、押圧部３７ａを室外側に押圧しつつ、上下方向に移動させる。これに対し、ばね３７ｂが付勢力を発生し、操作部３２の操作に対する操作感触を付与する。また、押圧部３７ａが上下方向に移動することにより、スライド片３５が共に上下方向に移動する。
【００２４】
スライド片３５の下端部には、鎌部３４に対して連係する連係ピン３５ａが設けられている。連係ピン３５ａは、一端側がスライド片３５と一体とされており、スライド片３５の上下方向への移動に伴い、共に上下動する。連係ピン３５ａの他端側は、鎌部３４に形成される回動連係部５１に挿入されている。
【００２５】
図４には、図３のＡ−Ａ断面図を示している。なお、この図では基部３１やスライド片３５などについては連係ピン３５ａ以外省略している。また、この図は鎌部３４が鎌収納部３３内に納められた状態、すなわち内蔵錠６が解錠された状態を表している。鎌収納部３３の内部には、鎌部３４が回動自在に納められ、その下部にはストッパ部材３８と突出片３９が配置されている。
【００２６】
鎌部３４は、鎌収納部３３に支持された回動中心部５０と、略Ｕ字状に切り欠かれてなる回動連係部５１と、鎌部３４が回動した際の突出先端側となる係合部５２と、ストッパ部材３８が係止自在な掛かり部５５とを有している。回動連係部５１には、前述のようにスライド片３５と一体の連係ピン３５ａが挿入されており、連係ピン３５ａがスライド片３５の上下動により上下することで、回動中心部５０を中心に鎌部３４を回動させることができるようになっている。
【００２７】
鎌部３４の係合部５２は、全体として鎌形状をなすと共に、先端辺は中央部が盛り上がる緩やかなカーブをなすと共に、厚み方向に二段からなる段状に形成されており、二段の先端面部５３を有し、先端面部５３間は側面部５４により構成されている。このように段状をなす係合部５２の先端辺が、外障子３側の受け部４２に対して係脱する。
【００２８】
ストッパ部材３８は、鎌収納部３３に支持された回動中心部３８ａを中心に回動自在とされており、鎌部３４に形成される掛かり部５５に対して係止される係止部３８ｂと、突出片３９に対して係止される突出片連係部３８ｃとを有している。図４は、ストッパ部材３８の係止部３８ｂが鎌部３４の掛かり部５５に対して係止されており、鎌部３４が回動しないようにロックした状態となっている。このとき、ストッパ部材３８の突出片連係部３８ｃと連係する突出片３９は、先端部３９ａが室外側に突出している。
【００２９】
突出片３９は、鎌収納部３３から室外側に出没自在な先端部３９ａを備え、ばね３９ｃにより室外側に付勢されていると共に、凹部３９ｂとストッパ部材３８の突出片連係部３８ｃとが係止されている。先端部３９ａが室外側に突出した突出片３９が、ばね３９ｃの付勢力に対抗して室内側に押圧されると、凹部３９ｂによってストッパ部材３８が回動され、係止部３８ｂによる鎌部３４のロック状態が解除されるようになっている。
【００３０】
図５には、外障子構成部４０に設けられる受け部４２の斜視図を示している。受け部４２は、外召合わせ框２４の中空内部に設けられる受け部収納部４１に、室内外方向に回動自在となるように支持されるものである。受け部４２には、上端部に回動中心部６０が形成されており、その回転軸方向が外召合わせ框２４の内外周方向となっている。
【００３１】
回動中心部６０の下方には、複数の段部からなる階段状部６１が形成されている。階段状部６１を構成する各段部は、外召合わせ框２４の外周側に向かって面する係合面部６２を有し、この係合面部６２が外召合わせ框２４の内外周方向に沿って３つ形成されている。
【００３２】
各係合面部６２は、第１平面部６３と第２平面部６５とが傾斜面部６４を介して段差状をなしている。回動中心部６０側の上部を構成する第１平面部６３は、下部を構成する第２平面部６５よりも外召合わせ框２４の内周側寄りとなるように形成されている。このため、傾斜面部６４は第１平面部６３側から第２平面部６５側にかけて、外障子３の内周側から外周側に向かう傾斜状となるように形成されている。
【００３３】
図６には、内蔵錠６を構成する鎌収納部３３内及び外障子構成部４０の断面図を示している。この図に示すように、外障子構成部４０は、受け部４２及びそれを収納する受け部収納部４１を有して構成されている。受け部４２の回動中心部６０には、ばねからなる付勢部材４３が取付けられており、付勢部材４３によって受け部４２は室内側に向かって付勢されている。
【００３４】
受け部収納部４１の室内側面には、室内側に向かって突出する突部４１ａが形成されていて、受け部収納部４１と鎌収納部３３とが対向した状態、すなわち内障子２と外障子３が閉じた状態において、突部４１ａが鎌収納部３３の突出片３９を室内側に押圧する。前述のように、突出片３９が室内側に押圧されると、ストッパ部材３８が回動して係止部３８ｂによる鎌部３４のロック状態が解除される。
【００３５】
このように、内障子２と外障子３が閉じて受け部収納部４１と鎌収納部３３とが対向した状態のときのみ、突出片３９が突部４１ａによって鎌収納部３３内に押圧されて、鎌部３４のロック状態が解除されるようにしたことにより、内障子２と外障子３が開いた状態で鎌部３４の空掛けがなされることを防止することができる。
【００３６】
図６は、鎌部３４のロック状態が解除されて、スライド片３５の連係ピン３５ａによって鎌部３４の回動が開始された状態を表している。このとき、鎌部３４は、係合部５２の室外側部分から受け部４２の階段状部６１のうち第１平面部６３に向かって近接する。
【００３７】
図７には、鎌部３４を受け部４２に係合させた状態における鎌収納部３３内及び外障子構成部４０の断面図を示している。鎌部３４を室外側に突出させるように回動させると、鎌部３４の係合部５２を構成する側面部５４が、受け部４２の係合面部６２に対して摺接する。側面部５４は、鎌部３４の回動に伴って、係合面部６２に対する摺接位置が係合面部６２の長手方向に沿って、第１平面部６３から傾斜面部６４を経て第２平面部６５へと下方に移動していく。
【００３８】
側面部５４の摺接位置が傾斜面部６４にかかると、鎌部３４は傾斜面部６４のテーパー形状により外障子３の外周側に向かって力を受ける。受け部４２はその反力として鎌部３４から外障子３の内周側に向かって力を受ける。これらの力により、内障子２と外障子３はそれぞれ閉じる方向に向かって引き分けられる。
【００３９】
鎌部３４と受け部４２による内障子２と外障子３の引き分けについてさらに説明する。図８には、鎌部３４と受け部４２の関係を表した横断面図を示している。図８（ａ）は、鎌部３４の側面部５４が受け部４２の係合面部６２のうち第１平面部６３に摺接した状態を表している。このように、鎌部３４の側面部５４が受け部４２の係合面部６２に対して摺接することにより、外障子３が外周側に向かって移動、すなわち開く方向に移動できないようにして、内障子２と外障子３の施錠をなすことができる。
【００４０】
図８（ｂ）は、鎌部３４の側面部５４が受け部４２の係合面部６２のうち傾斜面部６４に摺接した状態を表している。傾斜面部６４を第１平面部６３側から第２平面部６５側に向かって鎌部３４の側面部５４が摺接すると、テーパー形状の傾斜面部６４によって、鎌部３４は外障子３の外周側に向かって力を受け、受け部４２はその反力として外障子３の内周側に向かって力を受ける。
【００４１】
鎌部３４は内障子２の内召合わせ框２３に固定されているから、受け部４２から受けた力によって内召合わせ框２３は内障子２の内周側に移動しようとする。すなわち、内障子２が閉じる方向への力がかかることとなる。一方、受け部４２は外障子３の外召合わせ框２４に固定されているから、鎌部３４から受けた力によって外召合わせ框２４は外障子３の内周側に移動しようとする。すなわち、外障子３が閉じる方向への力がかかることとなる。
【００４２】
図８（ｃ）は、鎌部３４の側面部５４が受け部４２の係合面部６２のうち第２平面部６５に摺接した状態を示している。最終的に鎌部３４の係合部５２が第２平面部６５に対して係合されることにより、側面部５４と係合面部６２との間に内障子２と外障子３がそれぞれ閉じる方向への力のかかった状態が維持される。
【００４３】
このように、受け部４２において、階段状部６１の係合面部６２に傾斜面部６４を形成し、鎌部３４が施錠操作により回動した際の摺接方向に沿って、鎌部３４を外障子３の外周側に押圧する方向に傾斜面部６４が傾斜していることにより、鎌部３４を受け部４２に係合させて施錠するのに伴い、内障子２と外障子３を引き分けることができ、これらの間に隙間を生じさせないようにすることができる。
【００４４】
以上、本発明の実施形態について説明したが、本発明の適用は本実施形態には限られず、その技術的思想の範囲内において様々に適用されうるものである。
【符号の説明】
【００４５】
１    枠体
２    内障子
３    外障子
４    框体
５    パネル体
６    内蔵錠
７    額縁
１０    上枠
１１    下枠
１２    縦枠
２０    上框
２１    下框
２２    枠側縦框
２３    内召合わせ框
２４    外召合わせ框
３０    内障子構成部
３２    操作部
３４    鎌部
４０    外障子構成部
４２    受け部
４３    付勢部材
５０    回動中心部
５２    係合部
５３    先端面部
５４    側面部
６０    回動中心部
６１    階段状部
６２    係合面部
６３    第１平面部
６４    傾斜面部
６５    第２平面部
【図１】
0005923781.tif 000002
【図２】
0005923781.tif 000003
【図３】
0005923781.tif 000004
【図４】
0005923781.tif 000005
【図５】
0005923781.tif 000006
【図６】
0005923781.tif 000007
【図７】
0005923781.tif 000008
【図８】
0005923781.tif 000009